【手続補正書】
【提出日】平成16年2月17日(2004.2.17)
【手続補正１】
【補正対象書類名】明細書
【補正対象項目名】特許請求の範囲
【補正方法】変更
【補正の内容】
【特許請求の範囲】
【請求項１】
入力された検索情報に基づいてデータベースの収集情報を検索し、その検索結果を出力する検索装置であって、上記データベースには収集された収集情報が蓄積されており、
上記検索情報に基づいて検索を行い、上記検索情報に対して関係を持つ集積情報とラベルを抽出してこれらを表示手段に表示し、
上記表示されたラベルから特定のラベルを選択することで、上記抽出された収集情報から上記選択された特定のラベルに関連する収集情報がさらに選別されるように構成されていることを特徴とする情報の検索装置。
【請求項２】
入力された検索情報に基づいてデータベースの情報を検索し、その検索結果を出力する検索装置であって、本検索装置は入力装置とディスプレイを備えた出力装置と処理装置とを備えていて、
検索を行うための操作画面を上記ディスプレイに表示し、上記操作画面は検索情報を入力するためのエリアを有しており、上記入力エリアに入力された検索情報に基づいて上記処理装置は検索を行い、さらに、上記処理装置は上記検索情報に対して、この検索情報と所定の関係を持つ複数のラベルを抽出し、上記抽出された複数のラベルを上記ディスプレイに出力し、出力された複数のラベルの中からさらにラベルを指定すると、指定されたラベルに関係付けられた検索結果が選別され、上記複数のラベルとラベルに関係付けられて選別された検索結果とを上記ディスプレイの表示画面上に共に表示するようにしたことを特徴とする情報の検索装置。
【請求項３】
入力された検索情報に基づいてデータベースの情報を検索し、その検索結果を出力する検索装置であって、本検索装置は入力装置とディスプレイを備えた出力装置と処理装置とを備えていて、
検索を行うための操作画面を上記ディスプレイに表示し、上記操作画面は検索情報を入力するためのエリアを有しており、上記入力エリアに入力された検索情報に基づいて上記処理装置は検索を行い、
さらに、上記処理装置は上記検索情報に対して、この検索情報と所定の関係を持つ複数のラベルを抽出して上記抽出された複数のラベルを上記ディスプレイに表示し、
表示された複数のラベルの中からさらにラベルを指定すると、指定されたラベルに関係付けられた検索結果がさらに選別され、上記複数のラベルとラベルに関係付けられてさらに選別された検索結果とを上記ディスプレイの表示画面上に共に表示するようにし、
上記検索結果を、ディスプレイの表示画面上に設けられた検索結果の表示エリアに表示し、上記表示エリアには、指定されたラベルに基づいて選別された検索結果と、選別されなかった検索結果との両方を表示するようにしたことを特徴とする情報の検索装置。
【請求項４】
請求項２および３の内の１つに記載の情報の検索装置であって、
上記ディスプレイの表示画面に表示される複数のラベルは、指定されたラベルと指定されていないラベルとを視覚的に異なるように表示されることを特徴とする情報の検索装置。
【請求項５】
請求項２に記載の情報の検索装置であって、
上記ディスプレイの表示画面に表示される複数のラベルは、上記表示画面上の予め定められたエリアに表示され、さらに上記エリアにおける各ラベルの表示位置は、各ラベルと上記検索結果との関係に関連して定められることを特徴とする情報の検索装置。
【請求項６】
入力された検索情報に基づいてデータベースの情報を検索し、その検索結果を出力する検索装置であって、上記データベースには予め入力されている収集情報が蓄積されており、
上記検索情報に基づいて検索を行い、上記検索情報に対して所定の関係を持つ複数の単語（ラベル）および収集情報を抽出し、
上記検索装置の表示画面に、上記抽出された複数の単語をその単語の内容に関連付けられた位置関係で表示し、
さらに抽出された複数の上記収集情報のそれぞれを代表する情報を、それぞれ関係する上記単語の近傍であってどの単語と関係するかが視覚的に表されている位置に表示し、
上記表示された複数の収集情報の代表する情報から特定の代表する情報を選択することで、上記選択された代表する情報の収集情報が表示されることを特徴とする情報の検索装置。
【請求項７】
入力装置とディスプレイを備えた出力装置と処理装置とを備え、データベースには収集された収集情報が蓄積されているシステムに以下の処理機能を持たせることを特徴とするコンピュータプログラムであって、
検索を行うための操作画面を上記ディスプレイに表示し、上記操作画面は検索情報を入力するためのエリアを有しており、上記入力エリアに入力された検索情報に基づいて上記処理装置は検索を行い、
さらに上記処理装置は上記検索情報に対して、この検索情報と所定の関係を持つ収集情報と複数のラベルとを抽出して上記ディスプレイに出力し、
出力された上記複数のラベルの中からさらにラベルを指定すると、上記指定されたラベルに関係付けられた収集情報が選別されて上記ディスプレイの表示画面上に表示されることを特徴とするコンピュータプログラム。
【請求項８】
入力装置とディスプレイを備えた出力装置と処理装置とを備え、データベースには収集された収集情報が蓄積されているコンピュータに以下の処理機能を持たせることを特徴とするコンピュータプログラムであって、
入力された検索情報に基づいてデータベースの情報を検索し、その検索結果を出力すると共に、
上記検索情報に対して所定の関係を持つ複数のラベルを抽出してこれらを出力し、
上記複数のラベルから策定のラベルを選択することで、上記選択された特定のラベルに基づく検索結果の絞込みが行われてその結果が出力されることを特徴とするコンピュータプログラム。
【請求項９】
入力装置とディスプレイを備えた出力装置と処理装置とを備え、上記データベースには収集された収集情報が蓄積されているシステムに以下の処理機能を持たせることを特徴とするコンピュータプログラムであって、
入力された検索情報に基づいてデータベースの情報を検索し、その検索結果を出力する機能であって、
上記検索情報に基づいて検索を行い、上記検索情報に対して所定の関係を持つ複数の単語（ラベル）および収集情報を抽出し、
上記検索装置の表示画面に、上記抽出された複数の単語をその単語の内容に関連付けられた位置関係で表示し、
さらに抽出された複数の上記収集情報のそれぞれを代表する情報を、それぞれ関係する上記単語の近傍であってどの単語と関係するかが視覚的に表されている位置に表示し、
上記表示された複数の収集情報の代表する情報から特定の代表する情報を選択することで、上記選択された代表する情報の収集情報が表示されることを特徴とするコンピュータプログラム。
【請求項１０】
入力装置とディスプレイを備えた出力装置と処理装置とを備え、上記データベースには収集された収集情報が蓄積されているシステムに以下の処理機能を持たせるコンピュータプログラムであって、
検索情報が入力されて上記検索情報に基づいて検索が指示されると、上記検索情報に対して所定の関係を持つ複数のラベルと収集情報とを抽出してこれらを出力し、
抽出されたラベルを表示し、さらに前記ラベルの近傍に前記ラベルに関係する情報数あるいは前記ラベルの重要度を表示し、
上記出力された複数のラベルから特定のラベルを選択することで、上記選択された特定のラベルに基づく検索結果が出力されることを特徴とするコンピュータプログラム。
【請求項１１】
入力装置とディスプレイを備えた出力装置と処理装置とを備え、上記データベースには収集された収集情報が蓄積されているコンピュータに以下の処理機能を持たせるコンピュータプログラムであって、
検索情報が入力されて検索情報に基づいて検索が指示されると、上記検索情報に対して所定の関係を持つ複数のラベルを抽出してこれらを出力し、
さらに出力されるラベルの表示もしくは非表示の指定が行われると、前記指定に基づきラベルの表示もしくは非表示の処理が行われ、
ラベルが表示された状態で表示されている複数のラベルから特定のラベルが選択されると、上記選択された特定のラベルに基づく検索を、上記検索情報に基づく検索結果に対して行いその結果を出力することを特徴とするコンピュータプログラム。
【請求項１２】
入力装置とディスプレイを備えた出力装置と処理装置とを備え、上記データベースには収集された収集情報が蓄積されているシステムに以下の処理機能を持たせるコンピュータプログラムであって、
入力された検索情報に基づいて検索を行い、
また、上記検索情報に対して所定の関係を持つ複数のラベルを抽出してこれらを表示し、
さらに前記ラベルの表示数の指定が行われると、前記指定された数に基づいてラベルを表示し、
上記表示されたラベルから特定のラベルが選択されると、上記選択された特定のラベルに基づく検索を行いその結果を出力することを特徴とするコンピュータプログラム。
【請求項１３】
入力装置とディスプレイを備えた出力装置と処理装置とを備え、上記データベースには収集された収集情報が蓄積されているシステムに以下の処理機能を持たせるコンピュータプログラムであって、
入力された検索情報に基づいて検索を行い、上記検索情報に対して所定の関係を持つ複数のラベルと収集情報とを抽出してこれらを出力し、
上記出力された複数のラベルから特定のラベルが選択されると、上記選択された特定のラベルに基づく検索を行ってその結果を出力し、
また検索結果の出力順が、スコア順、選択されたラベルを多く含む順、ないしは情報の属性である日付順に従って行われるように指定されると、前記指定の順序に基づいて検索結果を出力することを特徴とするコンピュータプログラム。
【請求項１４】
入力装置とディスプレイを備えた出力装置と処理装置とを備え、上記データベースには収集された収集情報が複数のソースに分かれて蓄積されているシステムに以下の処理機能を持たせるコンピュータプログラムであって、
検索を行うための操作画面を上記ディスプレイに表示し、上記操作画面は検索情報を入力するためのエリアを有しており、上記入力エリアに入力された検索情報に基づいて上記処理装置は検索を行い、さらに上記処理装置は上記検索情報に対して、この検索情報と所定の関係を持つ収集情報と複数のラベルとを抽出して上記ディスプレイに出力し、出力された上記複数のラベルの中からさらにラベルを指定すると、上記指定されたラベルに関係付けられた収集情報が選別されて上記ディスプレイの表示画面上に表示される機能を有しており、
上記表示画面には検索対象のソースを切り替える表示がなされ、上記表示により検索対象となるソースの切り替え操作が為されると、上記検索対象のソースを切り替えて検索することを特徴とするコンピュータプログラム。
【請求項１５】
入力装置とディスプレイを備えた出力装置と処理装置とを備え、上記データベースには収集された収集情報が蓄積されているシステムに以下の処理機能を持たせるコンピュータプログラムであって、
入力された検索情報および指定されたラベルの属性に基づいて検索を行い、上記検索情報およびラベルの属性に対して所定の関係を持つ複数のラベルを抽出し、
上記抽出された複数のラベルから特定のラベルが選択されると、上記選択された特定のラベルに基づく検索をさらに行いその結果を出力することを特徴とするコンピュータプログラム。
【請求項１６】
入力装置とディスプレイを備えた出力装置と処理装置とを備え、上記データベースには収集された収集情報が蓄積されているシステムに以下の処理機能を持たせるコンピュータプログラムであって、
入力された検索情報に基づいてデータベースの情報を検索し、上記検索情報に対して所定の関係を持つ複数のラベルと収集情報とを抽出してこれらを出力して、上記複数のラベルをディスプレイに表示し、
上記表示された複数のラベルから特定のラベルを選択することで、上記選択された特定のラベルに基づく検索結果を出力し、
さらに上記表示ラベルが示されている領域から特定の領域が選定されたとき、上記選定された領域を拡大して表示することを特徴とするコンピュータプログラム。